(57)【特許請求の範囲】
【請求項１】
釣り用リールの回転するハンドル軸の先端に固定されたハンドルであって、
前記ハンドル軸の先端に固定され、前記ハンドル軸の径方向に延びるアーム部材と、
前記アーム部材の先端に基端が前記ハンドル軸とほぼ平行な軸回りに回動自在に支持され、先端が前記ハンドル軸の軸方向外方に延びる回動部材と、
前記回動部材の先端部に基端部が固定され、前記回動部材が延びる方向と交差する方向に配置された棒状の把手部材と、を備え、
前記回動部材は、前記アーム部材に沿う方向から曲がって前記ハンドル軸の軸方向外方に延びる部材である、釣り用リールのハンドル。
【請求項２】
前記把手部材は、前記回動部材の基端部と捩じれ位置の関係に配置されている、請求項１に記載の釣り用リールのハンドル。
【請求項３】
前記把手部材は、固定側端部に親指を載せる親指載置部を有する、請求項１又は２に記載の釣り用リールのハンドル。
【請求項４】
前記親指載置部は、滑らかな載置面を有する、請求項３に記載の釣り用リールのハンドル。
【請求項５】
前記親指載置部は、前記把手部材の固定側端部から前記回動部材の一部を覆う形状になっている、請求項３又は４に記載の釣り用リールのハンドル。
【発明の詳細な説明】
【０００１】
【発明の属する技術分野】
本発明は、ハンドル、特に、スピニングリールや両軸受リール等の釣り用リールのハンドル軸の先端に固定された釣り用リールのハンドルに関する。
【０００２】
【従来の技術】
スピニングリールや両軸受リールや片受けリール等の釣り用リールのハンドル軸の先端にはハンドルが固定されている。この種の釣り用リール、特に大型リールのハンドルは、いわゆるＴ字型のハンドルであり、ハンドル軸の先端に固定されたアーム部材と、アーム部材の先端に装着された把手軸と、把手軸の先端部にＴ字型に固定された棒状の把手部材とを有している。把手軸は、ハンドル軸と平行な軸回りにアーム部材に回転自在に支持されている。把手部材は、把手軸の先端部に中心部が固定され、把手軸と垂直に配置されている。
【０００３】
このようなハンドルを持ってハンドル軸を回転させる際には、把手部材を指で握って手先を円運動させる。このとき、たとえば中指と薬指との間に把手軸を挟んで把手部材を握り、把手軸と手の中心（力の中心）とのずれを少なくし、把手軸の回転軌跡と手の中心の回転軌跡とがあまりずれないようにして、ハンドル軸を効率よく回転させるようにしている。
【０００４】
【発明が解決しようとする課題】
前記従来のＴ字型のハンドルでは、把手部材を握るとき、指と指の間に把手軸が挟まれている。このため、特に、大きな魚がかかって強い力でハンドルを回す必要があるとき、把手軸を挟む指と指とが接近するように力が入り、把手軸に指が食い込み痛くなることがある。これを防止するために、把手軸をスポンジ等の弾性部材で被覆することが行われている。しかし、弾性部材で把手軸を被覆しても、使用するにつれて弾性部材がへたって用をなさなくなる。
【０００５】
本発明の課題は、釣り用リールのハンドルにおいて、力を入れて指でハンドルを握ったときに指が痛くならないようにすることにある。
【０００６】
【課題を解決するための手段】
発明１に係る釣り用リールのハンドルは、釣り用リールの回転するハンドル軸の先端に固定された構造であって、アーム部材と、回動部材と、把手部材とを備えている。アーム部材は、ハンドル軸の先端に固定され、ハンドル軸の径方向に延びている。回動部材は、アーム部材の先端に基端がハンドル軸とほぼ平行な軸回りに回動自在に支持され、先端がハンドル軸の軸方向外方に延びている。また、回動部材は、アーム部材に沿う方向から曲がってハンドル軸の軸方向外方に延びる部材である。把手部材は、回動部材の先端部に基端部が固定され、回動部材が延びる方向と交差する方向に配置された棒状の部材である。
【０００７】
このハンドルでは、ハンドル軸を回転させる際には、把手部を指で握って手先を回転運動させる。この把手部材は、基端部が回動部材に固定されているので、間に指に挟まれる部材はない。このため、指に力を入れても指が痛くなることがない。また、把手部材を握った手の中心と回動部材の回動中心とのずれが少なくなり、回動中心の回転軌跡と手の中心の回転軌跡とがあまりずれないようになり、ハンドル軸を効率よく回転させることができる。
【０００８】
発明２に係る釣り用リールのハンドルは、発明１に記載のハンドルにおいて、前記把手部材は、回動部材の基端部と捩じれ位置の関係に配置されている。この場合には、把手部材が回動部材の基端部と捩じれ位置の関係に配置されるので、回動部材の基端部と把手部材を握る指との間の隙間が大きくなり、指が回動部材の基端部に接触しにくい。
【０００９】
発明３に係る釣り用リールのハンドルは、発明１又は２に記載のハンドルにおいて、前記把手部材は、固定側端部に親指を載せる親指載置部を有する。この場合には、把手部材を握り親指を親指載置部に載せて力を入れると、人差し指から小指までが親指側に近づき、把手部材を強く握ることができる。
【００１０】
発明４に係る釣り用リールのハンドルは、発明３に記載のハンドルにおいて、前記親指載置部は、滑らかな載置面を有する。この場合には、滑らかな載置面に親指が載置されるので、親指により力を込めることができる。
【００１１】
発明５に係る釣り用リールのハンドルは、発明３又は４に記載のハンドルにおいて、前記親指載置部は、把手部材の固定側端部から回動部材の一部を覆う形状になっている。この場合には、親指の載置面の面積が広くなり、親指の載置位置を個人の嗜好、状況に応じて変えても上記効果を達成できる。
【００１２】
【発明の実施の形態】
図１〜図３において、本発明の一実施形態を採用した両軸受リールは、レバードラグ型のものであり、内部にスプール４が配置されたリール本体１と、リール本体１の側方に揺動自在に配置されたドラグ操作レバー２と、ドラグ操作レバー２の下方でリール本体１に回転自在に支持されたハンドル３とを備えている。
【００１３】
リール本体１は、左右１対の側板１０，１１及び側板１０，１１を連結する複数の連結部１２からなるフレーム９と、フレーム９を両側で覆う側カバー１３，１４とを有している。リール本体１の上部にはカウンターケース１５が固定されている。カウンターケース１５には、液晶表示部１６や操作キー部１７が設けられている。液晶表示部１６は、スプール４（後述）から繰り出された釣り糸先端部の水深を表示する。操作キー部１７は、棚位置や表示モードの選択操作等を行うときに使用される。
【００１４】
リール本体１の内部には、スプール４が回転自在かつ軸方向に移動自在に支持されている。スプール４の図１右側には、ドラグ機構（図示せず）が設けられており、スプール軸に連結されたドラグ操作レバー２を揺動させることでスプール４が軸方向右側に移動してドラグ機構に接触する。また、リール本体１の内部にはハンドル３の回転をスプールに伝達する伝達機構２０が設けられている。
【００１５】
側カバー１４のドラグ操作レバー２の下方には突出筒１４ａが形成されている。この突出筒１４ａの内部にはスプール４に平行にハンドル軸２１が配置されている。ハンドル軸２１は、突出筒１４ａの両端に配置された２つの軸受２２，２３により突出筒１４ａに回転自在に支持されている。
【００１６】
ハンドル３は、ハンドル軸２１の先端に固定されている。ハンドル３は、ハンドル軸２１の先端に固定されたアーム部材３０と、アーム部材３０の先端に回動自在に支持された回動部材３１と、回動部材３１の先端に固定された把手部材３２とを備えている。
【００１７】
アーム部材３０は、ハンドル軸２１の径方向に延びる板状の部材であり、ハンドル軸２１の先端にねじ込まれたボルト３３によりその基端が固定されている。アーム部材３０の先端には、図４に示すように、丸孔４０が形成されており、この丸孔４０に筒状の回動支持部４１が嵌め込まれている。回動支持部４１は、キャップネジ４２によりアーム部材３０の先端に固定されている。回動支持部４１の内周面両端には軸受４３、４４が装着されており、この軸受け４３，４４により回動軸４５が回動支持部４１に回動自在に支持されている。
【００１８】
回動部材３１は、アーム部材３０に沿う方向から直角に湾曲して先端がハンドル軸２１の軸方向外方に延びるＬ字状の板部材である。回動部材３１の基端には、回動支持部４１に支持された回動軸４５がネジ込まれて固定されている。このため、回動部材３１は、ハンドル軸２１とほぼ平行な軸回りに回動自在にアーム部材３０の先端に支持される。
【００１９】
把手部材３２は、回動部材３１の先端部に基端部が固定され回動部材３１が延びる方向と直交する方向に配置された棒状の部材である。把手部材３２は、回動部材３１の先端部にビス５４により固定されたほぼ筒状の把手本体５０と、把手本体５０の固定端部に嵌め込まれ固定された親指載置部５１と、把手本体５０の先端にねじ込まれた尻栓５２とを有している。把手本体５０は、通常の人が手の人差し指から薬指までで握れる長さ（たとえば、７０ｍｍ前後）を有しており、その外周面には、握り用の凹凸５０ａが形成されている。親指載置部５１は、把手本体５０と逆側に配置されており、中心部が回動部材３１を貫通して把手本体５０側に延び把手本体５０にビス５３により固定されている。親指載置部５１は、回動部材３１を挟んで固定用のビス５４を隠すように配置されており、把手部材３２の固定側端部から回動部材３１の一部を覆うような形状になっている。親指載置部５１の表面は滑らかな載置面５１ａとなっている。
【００２０】
次に、両軸受リールの操作方法について説明する。
【００２１】
船縁から釣り糸を繰り出すときには、ドラグ操作レバー２をたとえば、手前側（図３左側）に揺動させ、スプール４への制動を解除する。これにより、釣り糸は重りの自重により繰り出される。このときの繰り出し量（仕掛けの水深）は、液晶表示部１６に表示される。そして、釣り糸が所定量繰り出されると、ドラグ操作レバー２を図３右側の適当な位置に揺動させ、スプール４に制動をかけて釣り糸の繰り出しを停止する。この状態で仕掛けに魚がかかると、ハンドル３を回して、釣り糸をスプール４に巻き付ける。このとき、把手本体５０を、たとえば右手の人差し指から小指までで握り、親指を親指載置部５１の載置面５１ａに載置する。そして、手先を回転運動させることでハンドル３を回転させる。この回転は、ハンドル軸２１から伝達機構を介してスプール４に伝達されスプール４が巻取方向に回転する。
【００２２】
このとき、ハンドル３の把手本体５０には指に挟まれる部材はないので、力を入れて指が接近しても指が痛くなりにくい。また、親指が親指載置部５１に載置されているので、力を入れると、人差し指から小指までが親指側に近づき、把手部材３２をより強く握ることができる。さらに、一旦ハンドル軸２１の径方向に延びた回動部材３１が湾曲し、把手部材３２につながっていわゆる「半環状」をなすので、把手部材３２を握った手の中心と回動部材３１の回動中心とのずれが少なくなり、回動中心の回転軌跡と手の中心の回転軌跡とがあまりずれないようになり、ハンドル軸２１を効率よく回転させることができる。
【００２３】
〔他の実施形態〕
（ａ）  図５及び図６に示すように、ハンドル軸２１の軸方向外方に延びる回動部材３１の途中に図５の反時計回りに捩じられた捩じれ部３１ａを設ける等により、把手部材３２を、回動部材３１の基端部３１ｂに対して捩じれ位置となるように配置してもよい。この場合には、把手部材３２が回動部材の基端部３１ｂと捩じれ位置の関係に配置されるので、回動部材３１の基端部３１ｂと把手部材３２を握る指との間の隙間が大きくなり、指が基端部３１ｂから突出する回動軸４５に接触しにくい。
【００２４】
（ｂ）  図７に示すように、リール外方に延びる回動部材３１の途中にアーム部材３０の先端側に曲がる曲折部３１ｃを形成し、把手部材３２をアーム部材３０の先端より先端側に配置してもよい。この場合にも、回動部材３１の基端部３１ｂと把手部材３２を握る指との間の隙間が大きくなり、指が基端部３１ｂから突出する回動軸４５に接触しにくい。
【００２５】
（ｃ）  回動部材３１を湾曲させる角度は９０度に限定されず、それより大きい角度又は小さい角度で湾曲させてもよい。この場合にも、回動部材３１の基端部３１ｂと把手部材３２を握る指との間の隙間が大きくなり、指が基端部３１ｂから突出する回動軸４５に接触しにくい。また、湾曲させる代わりに折り曲げてもよい。
【００２６】
（ｄ）  回動部材３１を湾曲させず、回動軸４５を延長して回動部材とし、その先端部に把手部材３２を固定してもよい。
【００２７】
（ｅ）  本発明は、ドラグレバー型の両軸受リールに限定されるものではなく、ハンドル軸にドラグ機構を装着した両軸受リール、片軸受リール、スピニングリール等の全ての釣り用リールのハンドルに適用できる。
【００２８】
（ｆ）  本発明は、アーム部材の一端に把手部材が配置されたシングルハンドル型に限定されるものではなく、アーム部材の両端に把手部材が配置されたダブルハンドル型にも適用できる。
【００２９】
（ｇ）  把手部材３２が直円筒状ではなく、湾曲した円筒状であってもよい。
【００３０】
【発明の効果】
本発明によれば、把手部材の基端部が、アーム部材からハンドル軸の軸方向外方に延びる回動部材に固定されているので、間に指に挟まれる部材はない。このため、指に力を入れても指が痛くなることがない。
【図面の簡単な説明】
【図１】  本発明の一実施形態を採用した両軸受リールの一部破断背面図。
【図２】  その平面図。
【図３】  その側面図。
【図４】  アーム部材の先端部の断面図。
【図５】  他の実施形態のハンドル側面図。
【図６】  その平面図
【図７】  他の実施形態のハンドル平面図。
【符号の説明】
３  ハンドル
２１  ハンドル軸
３０  アーム部材
３１  回動部材
３２  把手部材
５１  親指載置部
５１ａ  載置面
【図１】
0003770337.tif 000002
【図２】
0003770337.tif 000003
【図３】
0003770337.tif 000004
【図４】
0003770337.tif 000005
【図５】
0003770337.tif 000006
【図６】
0003770337.tif 000007
【図７】
0003770337.tif 000008